(57)【要約】      （修正有）【課題】ステントにおいて屈曲した狭窄部の内周側に配置された部位同士が重なり難いデリバリーシステムを提供する。【解決手段】ステントデリバリーシステムは、ステントの線状部材１ａが環状又は螺旋状に延びて、バルーンの外周を一周してなる周回部２を有し、周回部２は、バルーンの軸方向に複数設けられ、周回部２は、線状部材が延びる延出方向において、線材部材１ａが占有する占有密度が大きい密部６と、延出方向において、線状部材１ａが占有する占有密度が小さい疎部５とを有し、複数の周回部におけるそれぞれの密部６，６・・は、バルーンの外周で軸方向に並び、複数の周回部におけるそれぞれの疎部５、５・・は、バルーンの外周で軸方向に並んでいることを特徴とする。【選択図】図３
2015156967.tif 000002
【特許請求の範囲】
【請求項１】
シャフトの先端部にバルーンが設けられたバルーンカテーテルと、前記バルーンの外周にマウントされるステントと、を備えるステントデリバリーシステムであって、
前記ステントは、線状部材が環状又は螺旋状に延びて、前記バルーンの外周を一周してなる周回部を有し、
前記周回部は、前記バルーンの軸方向に複数設けられ、
前記周回部は、
周方向において、前記線材部材が占有する占有密度が大きい密部と、
前記周方向において、前記線状部材が占有する占有密度が小さい疎部と、
を有し、
前記複数の周回部におけるそれぞれの密部は、前記バルーンの外周で軸方向に並び、
前記複数の周回部におけるそれぞれの疎部は、前記バルーンの外周で軸方向に並んでいることを特徴とするステントデリバリーシステム。
【請求項２】
シャフトの先端部にバルーンが設けられたバルーンカテーテルと、前記バルーンの外周にマウントされるステントと、を備えるステントデリバリーシステムであって、
前記バルーンは、前記先端部の外周を覆う周壁を有し、
前記周壁には、前記周壁の一部を内側に折り畳まれてなる谷部が形成され、
前記谷部は、周方向に複数形成され、
前記複数の谷部のそれぞれにおける折り畳み量が異なることを特徴とするステントデリバリーシステム。
【請求項３】
シャフトの先端部にバルーンが設けられたバルーンカテーテルと、前記バルーンの外周にマウントされるステントと、を備えるステントデリバリーシステムであって、
前記バルーンは、前記先端部の外周を覆う周壁を有し、
前記周壁の厚みは、肉厚な肉厚部と、肉薄な肉薄部と、を有していることを特徴とするステントデリバリーシステム。
【発明の詳細な説明】
【技術分野】
【０００１】
本発明は、生体内管腔、特に冠状動脈血管に生じた挟窄部を拡張する血管再建術に使用されるステントデリバリーシステムに関する。
【背景技術】
【０００２】
ステントデリバリーシステムは、ステントとバルーンカテーテルを備え、生体内管腔の狭窄部内にステントを搬送し、バルーンカテーテルでステントを拡張させるものである。
これによれば、拡張したステントが血管の内壁に密着し、狭窄部の内腔が確保される。
また、ステントは、線状部材が環状又は螺旋状に延びて、バルーンの外周を一周してなる周回部を有し、この周回部がバルーンの軸方向に複数設けられることで、筒状を呈している（下記特許文献１参照）。
なお、ステント内の再狭窄を予防するために、ステントの外周面に免疫抑制剤や抗がん剤が塗布される場合がある。以下、免疫抑制剤等が塗布されたステントを薬剤溶出型ステントと称する。
【先行技術文献】
【特許文献】
【０００３】
【特許文献１】特開２０１３−１９２８６１号公報
【発明の概要】
【発明が解決しようとする課題】
【０００４】
冠動脈を含む動脈の狭窄部の血管走行は、直線形状に限らず、複雑に屈曲している場合が多い。そして、屈曲した狭窄部でステントを拡張させた場合、周回部を構成するステントストラット（線状部材）において、狭窄部の内周側に配置された部位が、隣り合う周回部に近接して重なり合うおそれがある。
【０００５】
本発明は、前記の問題を解決するために創作された発明であって、ステントにおいて屈曲した狭窄部の内周側に配置された部位同士が重なり難いデリバリーシステムを提供することを課題とする。
【課題を解決するための手段】
【０００６】
前記課題を解決するため、第１発明に係るステントデリバリーシステムは、シャフトの先端部にバルーンが設けられたバルーンカテーテルと、前記バルーンの外周にマウントされるステントと、を備え、前記ステントは、線状部材が環状又は螺旋状に延びて、前記バルーンの外周を一周してなる周回部を有し、前記周回部は、前記バルーンの軸方向に複数設けられ、前記周回部は、前記線状部材が延びる延出方向において、前記線材部材が占有する占有密度が大きい密部と、前記延出方向において、前記線状部材が占有する占有密度が小さい疎部と、を有し、前記複数の周回部におけるそれぞれの密部は、前記バルーンの外周で軸方向に並び、前記複数の周回部におけるそれぞれの疎部は、前記バルーンの外周で軸方向に並んでいることを特徴とする。
【０００７】
前記する第１発明において、屈曲した狭窄部にステントを留置させる場合、疎部が並んでいる方を屈曲した狭窄部の内周側に向ける一方で、密部が並んでいる方を屈曲した狭窄部の外周側に向けて配置する。
ここで、疎部は、占有密度が小さく、線状部材が占有していない隙間が多い。このため、バルーンを拡張させたとしても、屈曲した狭窄部の内周側に配置された部位同士が重なり難い。
【０００８】
また、前記する第１発明では、密部が並んでいる方を屈曲した狭窄部の外周側に向けることで、狭窄部の外周側に配置される線状部材の占有密度を大きくすることができる。このため、薬剤溶出型ステントを使用した場合には、以下のような効果を得ることができる。
従来のステントでは、周回部を構成する線状部材において、狭窄部の外周側に配置された部位は、バルーンの拡張により、隣り合う周回部と離間し、狭窄部の外周側に配置される線状部材の占有密度が小さくなる。
このため、ステントが薬剤溶出型ステントの場合には、狭窄部の外周側と内周側とのそれぞれで溶出する薬剤の濃度差が大きかった。
しかしながら、前記する第１発明で薬剤溶出型ステントを使用すると、狭窄部の外周側の薬剤濃度を高めることができる一方で、狭窄部の内周側の薬剤濃度を低くすることができる。この結果、狭窄部の外周側と内周側との薬剤の濃度差を小さくなる。
【０００９】
また、前記課題を解決するため、第２発明に係るステントデリバリーシステムは、シャフトの先端部にバルーンが設けられたバルーンカテーテルと、前記バルーンの外周にマウントされるステントと、を備え、前記バルーンは、前記先端部の外周を覆う周壁を有し、前記周壁には、前記周壁の一部を内側に折り畳まれてなる谷部が形成され、前記谷部は、周方向に複数形成され、前記複数の谷部のそれぞれにおける折り畳み量が異なることを特徴とする。
【００１０】
前記する第２発明において、バルーンの拡張時に谷部が外側に向かって膨出し、周壁にマウントするステントを周方向に延ばす。このため、ステントの構成部材（線状部材）が周方向に離間するようになる。
また、前記発明は、谷部の折り畳み量が異なることから、バルーンの拡張により、ステントの構成部材が、周方向に離間する距離が大きい部位と小さい部位とが生じる。言い換えれば、周方向において、ステントの構成部材が占有する占有密度が大きい部位と、占有密度が小さい部位とが存在するようになる。
そして、周壁において谷部による折り畳み量が大きい方を、屈曲した狭窄部の内周側に向けて配置し、バルーンを拡張させる。これによれば、ステントの構成部材において、屈曲した狭窄部の内周側に配置された部位は、占有密度が小さく（隙間が大きく）、隣り合う部分（周回部）に重なり難い。
【００１１】
なお、前記する第２発明で、薬剤溶出型ステントを使用する場合、谷部の折り畳み量が小さい方を狭窄部の外周側に向ける。これにより、狭窄部の外周側と内周側とにおける薬剤の濃度差を小さくなる。
【００１２】
また、前記課題を解決するため、第３発明に係るステントデリバリーシステムは、シャフトの先端部にバルーンが設けられたバルーンカテーテルと、前記バルーンの外周にマウントされるステントと、を備え、前記バルーンは、前記先端部の外周を覆う周壁を有し、前記周壁の厚みは、肉厚な肉厚部と、肉薄な肉薄部と、を有していることを特徴とする。
【００１３】
前記する第３発明において、バルーンの拡張時、肉薄部は、肉厚部よりも変形量（拡張量）が大きい。このため、肉薄部にマウントされたステントの構成部材（線状部材）は、周方向に大きく離間しながら拡張（拡径）する。一方で、肉厚部にマウントされたステントの構成部材は、周方向に小さく離間しながら拡張（拡径）する。
この結果、肉薄部にマウントされたステントの構成部材は、周方向における占有密度が小さく、肉厚部にマウントされたステントの構成部材は、周方向における占有密度が大きくなる。
そして、肉薄部を屈曲した狭窄部の内周側に向けて配置し、バルーンを拡張させる。これによれば、ステントの構成部材において、屈曲した狭窄部の内周側に配置された部位は、占有密度が小さく（隙間が大きく）、隣り合う部分（周回部）に重なり難い。
【００１４】
なお、前記する第３発明で、薬剤溶出型ステントを使用する場合、バルーンの肉厚部を狭窄部の外周側に向ける。これにより、狭窄部の外周側と内周側との薬剤の濃度差を小さくなる。
【発明の効果】
【００１５】
前記する第１発明〜第３発明によれば、ステントにおいて、屈曲した狭窄部の内周側に配置された部位同士が重なり難い。
【図面の簡単な説明】
【００１６】
【図１】第１発明の実施形態に係るステントデリバリーシステムの構成を示す概略図である。
【図２】第１シャフトの先端部とバルーンとステントとの断面図である。
【図３】ステントを最下部で破断した展開図である。
【図４】実施形態に係るステントデリバリーシステムの使用状態を示す図である。
【図５】第１変形例に係るステントの展開図である。
【図６】第２変形例に係るステントの展開図である。
【図７】（ａ）は、第２発明の実施形態に係るバルーンの拡張前の断面図であり、（ｂ）は、（ａ）に図示されるバルーンが拡張した状態の断面図である。
【図８】第３発明の実施形態に係るバルーンの拡張前の断面図である。
【発明を実施するための形態】
【００１７】
第１発明に係るステントデリバリーシステム１００の実施の形態について、適宜図面を参照しながら詳細に説明する。
図１は、ステントデリバリーシステム１００の構成を示す概略図である。
ステントデリバリーシステム１００は、一端側にバルーン６０を有するバルーンカテーテル５０と、そのバルーン６０にマウントされるステント１とを備えている。
また、以下の説明において、バルーンカテーテル５０の両端のうち、バルーン６０が設けられた側を「先端」と称し、その反対側を「基端」と称する。
【００１８】
図１、図２に示すように、バルーンカテーテル５０は、シャフト部５１と、シャフト部５１の先端側に配置されたバルーン６０と、を備える。シャフト部５１は、第１シャフト５２と、内部に第１シャフト５２が挿通される第２シャフト５３と、第１シャフト５２及び第２シャフト５３の基部側に取り付けられたハブ５４と、を備える。
【００１９】
図２に示すように、第１シャフト５２は、円筒体であり、ポリオレフィン、ポリアミドエラストマ等の可撓性を有する合成樹脂材料から形成されている。第１シャフト５２の内径は、ガイドワイヤーＷ１、Ｗ２を挿通することができる大きさに形成され、第１シャフト５２の内部空間５２ｂがガイドワイヤールーメンを構成している。
また、図１に示すように、第１シャフト５２の基部側には、ガイドワイヤーポート５２ｄが形成されている。このガイドワイヤーポート５２ｄにガイドワイヤーＷ１を挿入すると、ガイドワイヤーＷ１が第１シャフト５２の内部空間５２ｂを通過し、第１シャフト５２の先端部５２ａの開口から延出するようになっている。
【００２０】
図２に示すように、第１シャフト５２の先端部５２ａの外周面５２ｃには、リング状のマーカ５６が設けられている。
このマーカ５６は、プラチナ等の金属などのＸ線不透過材料で形成され、生体内管腔に挿入された第１シャフト５２の先端部５２ａの位置をＸ線透視装置で視認し、その先端部５２ａに設けられたステント１を留置させる位置を確認するためのものである。
なお、マーカ５６は、第１シャフト５２の先端部５２ａに、軸方向に離間して２つ設けられている（図２においては１つだけ図示されている）。これは、ステント１の両端の位置を確認するためである。
【００２１】
図２に示すように、第２シャフト５３は、円筒体であり、ポリオレフィン、ポリアミドエラストマ等の可撓性を有する合成樹脂材料により形成されている。
また、第２シャフト５３の内径は、第１シャフト５２の外径よりも大きく、第２シャフト５３の内周面と第１シャフト５２の外周面との間には、内部空間が形成されている。以下、この空間を拡張ルーメン５３ｂという。
【００２２】
図１に示すように、ハブ５４は、第１拡張ポート５４ａと第２拡張ポート５４ｂとを有している。
第１拡張ポート５４ａは、第１シャフト５２の内部空間５２ｂ（ガイドワイヤールーメン）に連通している。このため、第１拡張ポート５４ａにガイドワイヤーＷ２を挿入すると、ガイドワイヤーＷ２が第１シャフト５２の内部空間５２ｂを通過し、第１シャフト５２の先端部５２ａの開口から延出するようになっている。
また、第２拡張ポート５４ｂは、拡張ルーメン５３ｂに連通している。
【００２３】
なお、上記したバルーンカテーテル５０のシャフト部５１は、従来知られているラピッドエクスチャンジタイプ（「ＲＸタイプ」と呼ばれる場合もある）であるが、本発明はこれに限定されない。たとえば、上記した第１シャフト５２と、第２シャフト５３とから構成されるオーバーザワイヤタイプ（「ＯＴＷタイプ」と呼ばれる場合がある）のシャフト部であってもよい。
【００２４】
図２に示すように、バルーン６０は、内部に第１シャフト５２の先端部５２ａが挿通される円筒体であり、ポリオレフィン、ポリアミドエラストマ等の可撓性を有する合成樹脂材料で形成されている。
バルーン６０の基部６０ａが第２シャフト５３の外周面に接合され、バルーン６０の内部空間６０ｂと拡張ルーメン５３ｂとが連通している。一方で、バルーン６０の先端部６０ｃは、第１シャフト５２の外周面５２ｃに接合され、封止されている。
なお、バルーン６０において、基部６０ａと先端部６０ｃとの間を周壁６０ｄという。
そして、第２拡張ポート５４ｂに加圧流体を流し込むと、バルーン６０の内部空間６０ｂに加圧流体が供給され、バルーン６０の周壁６０ｄが拡張するようになっている。
【００２５】
図３は、ステント１の最下部を、第１シャフト５２に沿って切った場合の展開図であり、線状部材１ａが矢印Ａ１、Ａ２、Ａ３、Ａ４、Ａ５、Ａ６の順に、基部側から先端側に向かって延在している。
図２、図３に示すように、ステント１は、線状部材１ａを螺旋状にピッチ巻きすることで円筒状を呈し、バルーン６０の周壁６０ｄにマウントされて（被せられて）いる。また、ステント１は、線状部材１ａの巻き回し方向（螺旋方向）が、第１シャフト５２の基端側から先端側を見た場合に左周りである。なお、ステント１を構成する線状部材１ａは、コバルト−クロム合金等の生体適合性を有する金属材料で形成されている。
【００２６】
ステント１の構成についての詳細を説明する。
ステント１は、線状部材１ａがバルーン６０の外周を一周してなる周回部２を複数備え、この複数の周回部２，２・・・が第１シャフト５２の軸方向に連続することで、螺旋状を構成している。
周回部２を構成する線状部材１ａは、等間隔Ｌ１で屈曲し、線状部材１ａが第１シャフト５２の先端側と基端側とに蛇行しながら、バルーン６０の外周を回っている。
【００２７】
また、線状部材１ａが蛇行している部位の軸方向の長さＬ２は、下部側から上部側に向かうにつれて次第に長くなっている。このため、螺旋方向において、線状部材１ａが占有する占有密度が、下部側から上部側に向かうにつれて次第に大きくなっている
以下、周回部２において、占有密度が小さい周回部２の下部側を疎部５と称し、占有密度が大きい周回部２の上部側を密部６と称する。
【００２８】
また、ステント１を構成する複数の周回部２，２・・・において、疎部５は、ステント１の下部側に配置され、一方で、密部６がステント１の上部側に配置されており、複数の周回部２，２・・・において、密部６のそれぞれが軸方向に並ぶとともに、疎部５のそれぞれも軸方向に並んでいる。
このため、隣り合う周回部２、２の疎部５、５同士の間の距離Ｌ３は、密部６、６同士の間の距離Ｌ４よりも長く、ステント１の下部側には、軸方向に大きい隙間Ｓ１が生じている。
【００２９】
つぎに、上記実施形態のステント１の使用方法について説明する。
図４に示すように、疎部５が並ぶステント１の下部側を屈曲した狭窄部２００の内周側に向け、一方で、密部６が並ぶステント１の上部側を狭窄部２００の外周側に向けて配置する。
これによれば、ステント１における複数の疎部５は、真っ直ぐの状態時よりも近接するようになるものの、隣り合う疎部同士の間に間隔があり、バルーン６０を拡張させたとしても、周回部２の疎部５は、隣り合う周回部２の疎部５と重なり難い。
一方で、ステント１における複数の密部６は、真っ直ぐの状態時よりも離間するものの、軸方向に長く占有密度が高いため、狭窄部２００の内壁２０１との密着面積が低減することが無い。また、外周面に免疫抑制剤や抗がん剤が塗布された薬剤溶出型ステントを用いた場合には、狭窄部２００の外周側と内周側との薬剤の濃度差を小さくすることが可能となる。
【００３０】
以上、実施形態に係るステント１について説明したが、実施形態に係るステント１は、線状部材１ａが蛇行している部位の軸方向の長さＬ２を変化させることで、疎部５と密部６とを作り出していたが、本発明はこれに限定さない。
たとえば、図５に示す第１変形例のステント１Ａのように、線状部材１ａの蛇行する間隔（ピッチ）を変化させることで、疎部５と密部６とを作り出してもよい。
具体的には、ステント１Ａの蛇行する間隔は、下部側から上部側に向かうにつれて次第に狭く（図５に示す「Ｌ５」と「Ｌ６」を参照）、下部側の方が線状部材１ａが占有する占有密度が小さくなっている。
【００３１】
この第１変形例によれば、周回部２において、線状部材１ａが蛇行している部位の軸方向の長さＬ７は、下部側から上部側に亘って均一であっても、周回部２が疎部５と密部６とを有するようになる。
そして、第１変形例に係るステント１Ａによれば、下部側のピッチ間の間隔Ｌ６が大きいことから、蛇行している部位同士の間の隙間Ｓ２が大きい。
このため、屈曲した狭窄部２００にステント１の内周側に配置したとしても、周回部２の疎部５を構成する線状部材１ａが、隣り合う疎部５における隙間Ｓ２に入り込み易いため、隣り合う周回部２、２の疎部５、５と重なり難くなっている。
【００３２】
次に、第２変形例を説明する。図６に示すように、周回部２を構成する線状部材１ａが、下部側から上部側に向かうにつれて、蛇行間隔（「Ｌ８」と「Ｌ９」参照）が大きくなるとともに、ピッチ間隔が狭くなる（「Ｌ１０」と「Ｌ１１」参照））ものであってもよい。
この第２変形例に係るステント１Ｂによれば、疎部５における線状部材１ａの占有密度をさらに小さくすることができるため、隣り合う疎部５、５同士よりが重なり難い。
【００３３】
そのほか、実施形態、第１変形例、第２変形例では、周回部２が螺旋方向に延びたステント１、１Ａ、１Ｂを挙げたが本発明はこれに限定されない。周回部２が環状であり、複数の周回部２がリンクで接続したステントであっても適用可能である。
【００３４】
つぎに、第２発明に係るステントデリバリーシステム１００の実施の形態について説明する。
第２発明に係るステントデリバリーシステム１００Ａは、シャフト部５１の先端側に設けられたバルーン６０Ａに特徴がある。以下、バルーン６０Ａの構成に絞って説明する。
図７（ａ）に示すように、バルーン６０Ａは、内部に第１シャフト５２の先端部５２ａが挿通される円筒状の部材であり、前記したバルーン６０と同じように、ポリオレフィン、ポリアミドエラストマ等の可撓性を有する合成樹脂材料で形成されている。
図７（ｂ）に示すように、拡大時に、バルーン６０Ａの周壁６０ｄが断面視で円形状に拡大する。
【００３５】
図７（ａ）に示すように、バルーン６０Ａの周壁６０ｄ（図７（ｂ）参照）には、その周壁６０ｄの一部が内側に折り込まれてなる複数の谷部６２ａ〜６２ｈが設けられている。
複数の谷部６２ａ〜６２ｊのそれぞれの折り畳み量は、それぞれ異なっており、谷部６２ｄ、６２ｅ、６２ｆ、６２ｈは、折り畳み量が比較的大きくなっている。
このため、谷部６２ｃ、６２ｄ、６２ｅ、６２ｆ、６２ｇが設けられた周壁６０ｄの下部側は、折り畳み量が大きく、谷部６２ａ、６２ｂ、６２ｉ、６２ｊが設けられた周壁６０ｄの上部側と折り畳み量が異なっている。
なお、図７（ａ）において、第１シャフト５２がバルーン６０Ａの上側に位置しているのは、周壁６０ｄの下部側に折り畳み量が大きい谷部６２ｃ、６２ｄ、６２ｅ、６２ｆ、６２ｇが形成されて、偏心したためである。
また、図７（ａ）に示すように、バルーン６０Ａの周壁６０ｄには、ステント１の線状部材１ａが周方向に等間隔でマウントしている。
【００３６】
つぎに、ステントデリバリーシステム１００Ａの使用方法について説明する。
図７（ａ）に示すように、屈曲した狭窄部（不図示）の内周側に、谷部による折り畳み量が大きいバルーン６０Ａ（周壁６０ｄ）の下部側を配置し、バルーン６０の内部空間６０ｂに加圧流体を供給する。
これにより、谷部６２ａ〜６２ｊが外側に向かって膨出し、周壁６０ｄにマウントするステント１を周方向に延ばしながら、ステント１を拡張（拡径）させる。
【００３７】
ここで、折り畳み量が大きい周壁６０ｄの下部側は、折り畳み量が小さい周壁６０ｄの下部側よりも、ステント１を周方向に拡張させる拡張が大きい。
よって、ステント１において、周壁６０ｄの下部側にマウントする線状部材１ａ、１ａ・・・は、周方向に大きく離間する一方で（図７（ｂ）に示す「Ｌ１２」参照）、周壁の上部側にマウントする線状部材１ａ、１ａ・・・は、周方向に小さく離間する（図７（ｂ）に示す「Ｌ１３」参照）。
この結果、拡張したステント１の下部側は、線状部材１ａが占有する占有密度が小さく、隙間が大きい。このため、ステント１において、軸方向に隣り合う周回部同士が重なり難くなっている。
なお、拡張したステント１の上部側においては、折り畳み量が小さいため、線状部材１ａの占有密度が小さくなることが抑制される。このため、外周面に免疫抑制剤や抗がん剤が塗布された薬剤溶出型ステントを用いた場合、狭窄部２００の外周側と内周側との薬剤の濃度差を小さくすることができる。
【００３８】
つぎに、第３発明に係るステントデリバリーシステム１００の実施の形態について説明する。
第３発明に係るステントデリバリーシステム１００Ｂは、シャフト部５１の先端側に設けられたバルーン６０Ｂに特徴がある。以下、バルーン６０Ｂの構成に絞って説明する。
図８に示すように、バルーン６０Ｂは、内部に第１シャフト５２の先端部５２ａが挿通される円筒状の部材である。
バルーン６０Ｂの周壁の厚みは、上側から下側に向かうにつれて肉薄になっている。
なお、周壁の上半分を肉厚部と称し、下半分を肉薄部と称する。
【００３９】
つぎに、ステントデリバリーシステム１００Ｂの使用方法について説明する。
屈曲した狭窄部の内周側にバルーン６０Ｂの肉薄部６６を配置し、屈曲した狭窄部の外周側にバルーン６０Ｂの肉厚部６５を配置し、バルーン６０Ｂに加圧流体を供給する。
ここで、肉薄部６６は、肉厚部６５よりも拡張量が大きい。このため、肉薄部６６にマウントされたステント１の線状部材１ａは、周方向に離間する距離が大きく、一方で、肉厚部にマウントされたステントの線状部材１ａは、周方向に離間する距離が小さい。
よって、ステント１は、上部側よりも下部側の方が、線状部材１ａが占有する占有密度が小さく、大きな隙間が形成される。
このため、ステント１において、下部側の隣り合う部分同士で重なり難くなっている。
なお、拡張したステント１の上部側は、周方向に離間する距離が小さいため、線状部材１ａの占有密度が小さくなることが抑制される。このため、外周面に免疫抑制剤や抗がん剤が塗布された薬剤溶出型ステントを用いた場合、狭窄部２００の外周側と内周側との薬剤の濃度差を小さくすることができる。
【符号の説明】
【００４０】
１、１Ａ、１Ｂ    ステント
１ａ    線状部材
２      周回部
５      疎部
６      密部
５０    バルーンカテーテル
５２    第１シャフト
５３    第２シャフト
５４    ハブ
６０、６０Ａ、６０Ｂ  バルーン
６０ａ  基部
６０ｄ  周壁
６２ａ〜６２ｊ  谷部
６５    肉厚部
６６    肉薄部
１００、１００Ａ、１００Ｂ  ステントデリバリーシステム
【図１】
2015156967.tif 000003
【図２】
2015156967.tif 000004
【図３】
2015156967.tif 000005
【図４】
2015156967.tif 000006
【図５】
2015156967.tif 000007
【図６】
2015156967.tif 000008
【図７】
2015156967.tif 000009
【図８】
2015156967.tif 000010